(57)【要約】【課題】管切断後の挿し口管の管端面と挿し口リング用係止溝の底面および側面とを１つの防食具で防食することができ、挿し口管の内周面から突出するものがなく、しかも、優れた止水効果が得られる。【解決手段】切断後の挿し口管３の管端部に被せて、前記管端部の外周面に形成した、スリットを有する挿し口リング７用係止溝３Ａと、切断後の挿し口管３の管端面３Ｂとを防食する管端部用防食具において、前記管端部の外周面に被せられる外周部１Ａと、管端面３Ｂに被せられる側面部１Ｂとからなり、側面部１Ｂの内周端には、止水用膨出部１Ｃが形成されている。【選択図】図３
2007198581.tif 000002
【特許請求の範囲】
【請求項１】
切断後の金属管製挿し口管の管端部に被せて、前記管端部の外周面に形成した、スリットを有する挿し口リングの突条が嵌まり込む係止溝と、前記挿し口管の管端面とを防食する管端部用防食具において、
前記管端部の外周面に被せられる外周部と、前記管端面に被せられる側面部とからなり、前記側面部の内周端には、止水用膨出部が形成されていることを特徴とする管端部用防食具。
【請求項２】
前記外周部の外面には、カバーが設けられ、前記カバーは、前記挿し口リングを前記管端部に固定する際、前記カバー上に前記挿し口リングの前記スリットを位置させることによって、前記スリット部分の前記外周部に生じる皺や浮き上がりを防止することを特徴とする、請求項１記載の管端部用防食具。
【請求項３】
前記カバーは、前記外周部を介して前記係止溝に入り込む突部を有していることを特徴とする、請求項２記載の管端部用防食具。
【請求項４】
前記外周部の、前記スリットに対応する部分には、前記スリット部分の前記外周部に生じる皺や浮き上がりを防止する肉厚部が形成されていることを特徴とする、請求項１記載の管端部用防食具。
【請求項５】
前記肉厚部は、前記外周部の外面の長手方向に亘って形成された突条からなることを特徴とする、請求項４記載の管端部用防食具。
【請求項６】
前記止水用膨出部の断面形状は、円形、矩形またはＵ字状であることを特徴とする、請求項１から５の何れか１つに記載の管端部用防食具。
【請求項７】
前記側面部の内面および前記挿し口リングの前記スリットが位置する前記外周部の内面の少なくとも一方には、粘着材が設けられていることを特徴とする、請求項１から６の何れか１つに記載の管端部用防食具。
【請求項８】
前記粘着材は、ブチルゴムからなっていることを特徴とする、請求項７記載の管端部用防食具。
【発明の詳細な説明】
【技術分野】
【０００１】
この発明は、管端部用防食具、特に、例えば、水道管路を敷設する際、配管の都合上、配管施工現場において、管を途中から切断した場合、切断後の挿し口管の管端部を確実に防食することができる管端部用防食具に関するものである。
【背景技術】
【０００２】
近年、水道管路等の耐震対策として、離脱防止機能や伸縮機能を有する管継手構造が採用されつつある。
【０００３】
この管継手構造の一例として、図９に示すように、挿し口管３の先端外周部に突設されたストッパー４と、挿し口管３が挿入される受け口管５の内周面に形成された溝５Ａ内に嵌め込まれたロックリング６とからなるものがある。
【０００４】
この管継手構造によれば、挿し口管３は、その先端部が受け口管５の奥の端面５Ｂに当接する位置からストッパー４がロックリング６に当接する位置までの間の伸縮が可能である。また、管継手部に引張力が作用しても、ストッパー４がロックリング６に当接することによって、継手部からの管の離脱を確実に防止することができる。
【０００５】
上述した耐震機能を有する管継手構造により管を接続して管路を敷設する場合、配管の都合上、配管施工現場において、管を途中から切断せざるを得ない場合が生じる。このように管を途中から切断した場合、切断した側の管端部に新たに後述する金属製挿し口リングを取り付けないと、挿し口管３を受け口管５内に挿入して、管を接続することができない。
【０００６】
図１０および図１１に示すように、挿し口リング７は、管接続の際、受け口管５内のロックリング６を押し広げることができるように、先端が先細りに形成され、拡縮径可能なようにスリット７Ａが形成されている。そして、内周面には、挿し口管３の管端部の外周面に形成された係止溝３Ａに嵌合する突条７Ｂが形成されている。
【０００７】
この挿し口リング７を挿し口管３の管端部に取り付けるには、挿し口リング７を拡径させて、その突条７Ｂを挿し口管３の係止溝３Ａに嵌め込む。そして、ねじ８により挿し口管３に固定する。
【０００８】
このようにして、挿し口リング７を挿し口管３に固定すれば、挿し口管３を受け口管５内に挿入して、管を接続することができるが、管を途中から切断すると、挿し口管３の切り口の管端面３Ｂの金属地肌が露出するので、この管端面３Ｂに防食処置を施す必要がある。また、挿し口リング７の突条７Ｂを嵌め込むために、挿し口管３の管端部の外周面に新たに切削加工により形成した係止溝３Ａも同様に金属の地肌が露出するので、防食処置を施す必要がある。なお、工場から出荷される段階では、管端面には防食塗装が施されている。
【０００９】
そこで、管切断後の挿し口管３の管端面３Ｂと、挿し口リング７の突条７Ｂが嵌め込まれる係止溝３Ａとを防食するための防食具の一例が特開２００５−２４８９７１号公報に開示されている。以下、この防食具を従来防食具といい、図面を参照しながら説明する。
【００１０】
図１２は、従来防食具を示す断面図である。
【００１１】
図１２に示すように、従来防食具は、管切断後の挿し口管３の管端面３Ｂを防食する管端面防食材９と、挿し口リング７の突条７Ｂが嵌め込まれる係止溝３Ａを防食する係止溝防食材１０とからなっている。管端面防食材９は、管切断後の挿し口管３の管端部の外周面に被せられる外周部９Ａと、管端面３Ｂに被せられる側面部９Ｂと、管端部の内周面に被せられる内周部９Ｃとからなっている。係止溝防食材１０は、係止溝３Ａと同じ幅を有している。
【００１２】
上記従来防食具によれば、管切断後、挿し口管３の管端部に管端面防食材９を嵌め込むと共に、係止溝３Ａに係止溝防食材１０を嵌め込む。これによって、管端面防食材９の側面部９Ｂが挿し口管３の管端面３Ｂに密着し、挿し口リング７の突条７Ｂによって係止溝防食材１０が係止溝３Ａに密着するので、管切断後の管端面３Ｂおよび係止溝３Ａの防食処置がなされる。その後、挿し口リング７を挿し口管３の管端部に取り付ける。
【００１３】
【特許文献１】特開２００５−２４８９７１号公報
【発明の開示】
【発明が解決しようとする課題】
【００１４】
上述のように、従来防食具によれば、管切断後の挿し口管３の管端面３Ｂおよび挿し口リング７用係止溝３Ａの防食処置がなされるが、以下のような問題があった。
【００１５】
（１）防食具が管端面防食材９と係止溝防食材１０の２つの部材に分かれているので、挿し口管３への取り付けが面倒である。
（２）係止溝防食材１０は、細いので、取り付ける際に切断の恐れがあると共に、小さいので紛失しやすい。
（３）係止溝防食材１０は、係止溝３Ａの底面を覆う幅寸法しか有さないので、係止溝３Ａの側面を防食することはできない。
（４）内周部９Ｃが挿し口管３の内周面から突出するので、管路内の流れに乱れが生じて、騒音等の原因になる。
【００１６】
従って、この発明の目的は、管切断後の管端面と挿し口リング用係止溝の底面および側面とを１つの防食具で防食することができ、挿し口管の内周面から突出するものがなく、しかも、止水効果に優れた管端部用防食具を提供することにある。
【課題を解決するための手段】
【００１７】
この発明は、上記目的を達成するためになされたものであって、下記を特徴とするものである。
【００１８】
請求項１記載の発明は、切断後の金属管製挿し口管の管端部に被せて、前記管端部の外周面に形成した、スリットを有する挿し口リングの突条が嵌まり込む係止溝と、前記挿し口管の管端面とを防食する管端部用防食具において、前記管端部の外周面に被せられる外周部と、前記管端面に被せられる側面部とからなり、前記側面部の内周端には、止水用膨出部が形成されていることに特徴を有するものである。
【００１９】
請求項２記載の発明は、請求項１記載の発明において、前記外周部の外面には、カバーが設けられ、前記カバーは、前記挿し口リングを前記管端部に固定する際、前記カバー上に前記挿し口リングの前記スリットを位置させることによって、前記スリット部分の前記外周部に生じる皺や浮き上がりを防止することに特徴を有するものである。
【００２０】
請求項３記載の発明は、請求項２記載の発明において、前記カバーは、前記外周部を介して前記係止溝に入り込む突部を有していることに特徴を有するものである。
【００２１】
請求項４記載の発明は、請求項１記載の発明において、前記外周部の、前記スリットに対応する部分には、前記スリット部分の前記外周部に生じる皺や浮き上がりを防止する肉厚部が形成されていることに特徴を有するものである。
【００２２】
請求項５記載の発明は、請求項４記載の発明において、前記肉厚部は、前記外周部の外面の長手方向に亘って形成された突条からなることに特徴を有するものである。
【００２３】
請求項６記載の発明は、請求項１から５の何れか１つに記載の発明において、前記止水用膨出部の断面形状は、円形、矩形またはＵ字状であることに特徴を有するものである。
【００２４】
請求項７記載の発明は、請求項１から６の何れか１つに記載の発明において、前記側面部の内面および前記挿し口リングの前記スリットが位置する前記外周部の内面の少なくとも一方には、粘着材が設けられていることに特徴を有するものである。
【００２５】
請求項８記載の発明は、請求項７記載の発明において、前記粘着材は、ブチルゴムからなっていることに特徴を有するものである。
【発明の効果】
【００２６】
この発明によれば、管切断後の挿し口管の管端面と挿し口リング用係止溝の底面および側面とを１つの防食具で防食することができ、挿し口管の内周面から突出するものがなく、しかも、優れた止水効果が得られる。
【発明を実施するための最良の形態】
【００２７】
次に、この発明の管端部用防食具をダクタイル管の挿し口管に適用した一実施態様を、図面を参照しながら説明する。
【００２８】
図１は、この発明の管端部用防食具を示す断面図、図２は、図１のＡ矢視図、図３は、この発明の管端部用防食具を介して挿し口リングを取り付けた状態を示す部分断面図、図４は、この発明の管端部用防食具の部分断面図、図５は、カバーを設けた、この発明の管端部用防食具を示す部分斜視図、図６は、別の形状のカバーを示す斜視図、図７は、この発明の別の管端部用防食具を示す部分斜視図、図８は、図７の突条を示す正面図であり、（ａ）は、長方形状の突条を示し、（ｂ）は、台形状の突条を示す。
【００２９】
図１から図３に示すように、この発明の管端部用防食具１は、例えば、ゴム製で断面形状Ｌ字形をなし、切断後の挿し口管３の管端部の外周面に被せられる外周部１Ａと、切断後の挿し口管３の管端面３Ｂに被せられる側面部１Ｂとからなり、側面部１Ｂの内周端には、止水用膨出部１Ｃが形成されているものからなっている。外周部１Ａの長さ（Ｌ）は、挿し口リング用係止溝３Ａを被覆するに十分な長さを有している。
【００３０】
図３に示すように、この発明の管端部用防食具１を、切断後の挿し口管３の管端部に被せた後、挿し口リング７を管端部に固定すれば、管端部用防食具１の外周部１Ａの一部は、挿し口リング７の突条７Ａにより挿し口リング用係止溝３Ａ内に押し込まれて、係止溝３Ａの底面および側面と密着し、管端部用防食具１の側面部１Ｂは、切断後の挿し口管３の管端面３Ｂに密着するので、これらの部分の防食処置がなされる。しかも、止水用膨出部１Ｃが挿し口リング７によって押し付けられるので、側面部１Ｂの内周端からの水等の浸入を確実に防止できる。
【００３１】
止水用膨出部１Ｃの断面形状は、図４（ａ）に示すように、円形以外に、同図（ｂ）に示すように、矩形状、同図（ｃ）に示すように、Ｕ字形、同図（ｄ）に示すように、半円形、同図（ｅ）から（ｇ）に示すように、中空形状等であっても良い。また、同図（ｈ）に示すように、内側と外側とを半径の異なる半円形状としても良い。
【００３２】
挿し口リング７は、図９に示すように、ねじ８により挿し口管３の管端部に固定されるが、この際、挿し口リング７の縮径により挿し口リング７のスリット７Ａ部分の管端部用防食具１の外周部１Ａに皺や浮き上がりが生じることがある。外周部１Ａに皺や浮き上がりが生じると、この部分の防食効果がなくなる。
【００３３】
そこで、図５に示すように、挿し口リング７のスリット７Ａに対応する管端部用防食具１の外周部１Ａ上面に、樹脂等からなるＴ字状のカバー２を予め貼り付けておき、挿し口リング７とカバー２の両端部とをラップさせれば、挿し口リング７の固定時に、カバー２により外周部１Ａが押え付けられるので、スリット７Ａ部分の外周部１Ａに皺や浮き上がりが生じることを確実に防止することができる。カバー２の形状をＴ字状としたのは、挿し口リング７の突条７Ｂとカバー２との干渉を避けるためである。
【００３４】
カバー２の形状としては、図６（ａ）に示すように、Ｔ字状のカバー２に突部２Ａを設け、この突部２Ａが外周部１Ａを介して、挿し口リング用係止溝３Ａに入り込むようにすれば、皺や浮き上がりをより確実に防止することができる。また、同図（ｂ）に示すように、カバー２の一部を切り欠き、その部分を下方に折り曲げて突部２Ａを形成し、この突部２Ａが外周部１Ａを介して、挿し口リング用係止溝３Ａに入り込むようにしても良い。この場合、前記切り欠き内に挿し口リング７の突条７Ｂが入り込むので、挿し口リング７とカバー２の両端部とをラップさせることができる。この他、同図（ｃ）に示すように、カバー２の一端を折り曲げれば、外周部１Ａに貼り付けやすくなる。
【００３５】
また、カバー２を設ける代わりに、外周部１Ａの、スリット７Ａに対応する部分に肉厚部を形成しても、スリット部分の外周部に生じる皺や浮き上がりを防止することができる。この肉厚部は、図７に示すように、外周部１Ａの外面の長手方向に亘って形成された突条１Ｄであっても良い。突条１Ｄは、図８（ａ）に示すように、長方形状であっても、同図（ｂ）に示すように、台形状であっても、あるいは、図示しないが、挿し口管側の端部を山状に傾斜させても良い。また、突条１Ｄの断面形状は、図示の長方形状以外に、台形状であっても良い。
【００３６】
さらに、管端部用防食具１の側面部１Ｂの内面にブチルゴム等の粘着材を貼り付けておけば、側面部１Ｂは、挿し口管３の管端面３Ｂにより確実に密着して、防食効果が向上する。また、挿し口リング７のスリットが位置する外周部１Ａの内面にブチルゴム等の粘着材を貼り付けておけば、カバー２による皺や浮き上がりの防止効果がさらに向上する。
【００３７】
以上のように、この発明の管端部用防食具によれば、管切断後の挿し口管３の管端面１Ｂと挿し口リング用係止溝１Ａの底面および側面とを１つの防食具で防食することができるので、防食処置が簡単に行えると共に、紛失の恐れがなく、挿し口管１の内周面から突出するものがないので、管路内の水流を妨げる恐れがない。しかも、止水用膨出部１Ｃを設けることによって、優れた止水効果が得られる。さらに、挿し口リング７のスリット７Ａに対応する外周部１Ａにカバー２を設けることによって、挿し口リング７の固定時にスリット７Ａ部分の外周部１Ａに生じる皺や浮き上がりを確実に防止することができる。
【図面の簡単な説明】
【００３８】
【図１】この発明の管端部用防食具を示す断面図である。
【図２】図１のＡ矢視図である。
【図３】この発明の管端部用防食具を介して挿し口リングを取り付けた状態を示す部分断面図である。
【図４】この発明の管端部用防食具の部分断面図である。
【図５】カバーを設けた、この発明の管端部用防食具を示す部分斜視図である。
【図６】別の形状のカバーを示す斜視図である。
【図７】この発明の別の管端部用防食具を示す部分斜視図である。
【図８】図７の突条を示す正面図であり、（ａ）は、長方形状の突条を示し、（ｂ）は、台形状の突条を示す。
【図９】管継手構造の一例を示す断面図である。
【図１０】挿し口管に取り付けられた挿し口リングを示す断面図である。
【図１１】図１０のＡ−Ａ線断面図である。
【図１２】従来防食具を示す断面図である。
【符号の説明】
【００３９】
１：管端部用防食具
１Ａ：外周部
１Ｂ：側面部
１Ｃ：止水用膨出部
１Ｄ：突条
２：カバー
２Ａ：突部
３：挿し口管
３Ａ：係止溝
３Ｂ：管端面
４：ストッパー
５：受け口管
５Ａ：溝
５Ｂ：端面
６：ロックリング
７：挿し口リング
７Ａ：スリット
７Ｂ：突条
８：ねじ
９：管端面防食材
９Ａ：外周部
９Ｂ：側面部
９Ｃ：内周部
１０：係止溝防食材
【図１】
2007198581.tif 000003
【図２】
2007198581.tif 000004
【図３】
2007198581.tif 000005
【図４】
2007198581.tif 000006
【図５】
2007198581.tif 000007
【図６】
2007198581.tif 000008
【図７】
2007198581.tif 000009
【図８】
2007198581.tif 000010
【図９】
2007198581.tif 000011
【図１０】
2007198581.tif 000012
【図１１】
2007198581.tif 000013
【図１２】
2007198581.tif 000014